(57)【特許請求の範囲】
【請求項１】
インクヘッドを搭載するキャリッジに紫外線照射ランプを取り付けるためのインクジェットプリンタにおける紫外線照射ランプの取付構造であって、
キャリッジと、
前記キャリッジに搭載されるインクヘッドと、
前記インクヘッドの近傍において前記キャリッジに配置される取付部材と、
前記取付部材に固定される一つの紫外線照射ランプと
を有し、
前記取付部材は、高さ方向における両端部の２面を開放状態とした断面が略Ｃ字形状を有する四角筒形状体であって、前記四角筒形状体を構成する４面として、前記キャリッジに搭載された前記インクヘッドと隣接する面となる中央部と、前記中央部の両側からそれぞれ直立して配設された第１の側面部および第２の側面部と、前記第１の側面部から前記中央部と平行に配設された第１のランプ取付面と、前記第２の側面部から前記中央部と平行に配設された第２のランプ取付面と、前記第１のランプ取付面と前記第２のランプ取付面との間に形成されるとともに前記高さ方向における上端部から下端部まで切り欠いた切り欠き部とを有し、
前記取付部材の外側から前記切り欠き部を塞ぐように前記紫外線照射ランプを前記第１のランプ取付面と前記第２のランプ取付面とに固定する
ことを特徴とするインクジェットプリンタにおける紫外線照射ランプの取付構造。
【請求項２】
インクヘッドを搭載するキャリッジに紫外線照射ランプを取り付けるためのインクジェットプリンタにおける紫外線照射ランプの取付構造であって、
キャリッジと、
前記キャリッジに搭載されるインクヘッドと、
前記インクヘッドの近傍において前記キャリッジに配置される取付部材と、
前記取付部材に固定される一つの紫外線照射ランプと
を有し、
前記取付部材は、高さ方向における両端部の２面を開放状態とした断面が略Ｃ字形状を有する四角筒形状体であって、前記四角筒形状体を構成する４面として、前記キャリッジに搭載された前記インクヘッドと隣接する面となる中央部と、前記中央部の両側からそれぞれ直立して配設された第１の側面部および第２の側面部と、前記第１の側面部から前記中央部と平行に配設された第１のランプ取付面と、前記第２の側面部から前記中央部と平行に配設された第２のランプ取付面と、前記第１のランプ取付面と前記第２のランプ取付面との間に形成されるとともに前記高さ方向における上端部から下端部まで切り欠いた切り欠き部とを有し、
前記取付部材の内側から前記切り欠き部を塞ぐように前記紫外線照射ランプを前記取付部材内に配置し、前記紫外線照射ランプを前記第１のランプ取付面と前記第２のランプ取付面とに固定する
ことを特徴とするインクジェットプリンタにおける紫外線照射ランプの取付構造。
【請求項３】
請求項１または２のいずれか１項に記載のインクジェットプリンタにおける紫外線照射ランプの取付構造において、
前記第１の側面部と第２の側面部とのうちで前記キャリッジに隣接するいずれか一方を前記キャリッジに固定する
ことを特徴とするインクジェットプリンタにおける紫外線照射ランプの取付構造。
【発明の詳細な説明】
【技術分野】
【０００１】
本発明は、インクジェットプリンタにおける紫外線照射ランプの取付構造に関する。
【背景技術】
【０００２】
従来より、インクジェットプリンタのインクヘッドが搭載されるキャリッジには、インクヘッドを搭載するインクヘッド搭載部とともに紫外線照射ランプを備える場合がある。
【０００３】
この紫外線照射ランプは、インクヘッドよりメディア上に吐出される紫外線硬化インクに対して紫外線を照射するため、キャリッジ上のインクヘッドに隣接する領域に配置される。
【０００４】
なお、本明細書においては、印刷対象となるメディアの幅方向を「主走査方向」と適宜称することとし、メディアの長手方向を「副走査方向」と適宜称することとする。このメディアの幅方向たる主走査方向とメディアの長手方向たる副走査方向とは、互いに直交する方向である。
【０００５】
従来のインクジェットプリンタにおいて、キャリッジは主走査方向に沿って配設されるガイドレール上に摺動自在に配置され、キャリッジ内に昇降可能に配設されるベース部材に、インクを吐出するインクノズルを有するインクヘッドと、メディア上に吐出された紫外線硬化インクに対して紫外線を照射する紫外線照射ランプとが搭載される。
【０００６】
そして、紫外線照射ランプは、インクヘッドに隣接する位置に、取付部材を介してベース部材に固定される。
【０００７】
この取付部材は、紫外線照射ランプとベース部材とを連結する部材であるが、単に紫外線照射ランプとベース部材とを連結すればよいものではなく、所定の重量を有する紫外線照射ランプを支持するために強度を有するよう設計される必要がある。
【０００８】
ここで、図１および図２には、従来のインクジェットプリンタにおける紫外線照射ランプの取付構造を示す概念構成斜視説明図が示されている。
【０００９】
図１に示す紫外線照射ランプの取付構造における取付部材１００は、平面部１００ａと角状部１００ｂとを結合させて取付部材１００を構成している。また、平面部１００ａの下方側の端部が折り曲げて構成されており、紫外線照射ランプ１１０を下方側から支持している。
【００１０】
そして、平面部１００ａが紫外線照射ランプ１１０の側面に対してネジにより固定され、また、角状部１００ｂがベース部材１１２に対してネジにより固定されている。
【００１１】
こうした取付部材１００は、剛性が高く、紫外線照射ランプの重量による影響が少ない。
【００１２】
しかしながら、多くの材料を必要とすることからコスト高を招くという問題点があった。
【００１３】
また、取付部材１００は板金により構成されるため、多くの材料が必要となる場合には、それ自体が重くなり、ベース部材に負荷がかかるという問題点があった。
【００１４】
次に、図２に示す取付部材２００は、略板状体よりなる平面部２００ａと、平面部２００ａの一部を直立させるように折り曲げて構成される上方側面部２００ｂと下方側面部２００ｃとにより形成される。
【００１５】
そして、平面部２００ａが紫外線照射ランプ２１０の側面に対してネジにより固定され、また、上方側面部２００ｂおよび下方側面部２００ｃの一部がそれぞれベース部材２１２に対してネジにより固定される。
【００１６】
こうした取付部材２００は、少ない材料により構成されているため、コストを抑えることができる。  
【００１７】
しかしながら、紫外線照射ランプ２１０の重量に対する剛性が低いため、使用の経過とともに取付部材２００の歪みや取付部材２００とベース部材２１２との間のネジの緩みなど、紫外線照射ランプ２１０の重量による影響が生じるおそれがあるという問題点があった。
【００１８】
なお、本願出願人が特許出願時に知っている先行技術は、上記において説明したようなものであって文献公知発明に係る発明ではないため、記載すべき先行技術情報はない。
【発明の概要】
【発明が解決しようとする課題】
【００１９】
本発明は、従来の技術の有する上記したような種々の問題点に鑑みてなされたものであり、その目的とするところは、剛性が高く、かつ、軽量なインクジェットプリンタにおける紫外線照射ランプの取付構造を提供しようとするものである。
【００２０】
また、本発明の目的とするところは、材料の増加に伴うコスト高を抑制することができるようにしたインクジェットプリンタにおける紫外線照射ランプの取付構造を提供しようとするものである。
【課題を解決するための手段】
【００２１】
上記目的を達成するために、本発明は、紫外線照射ランプの筐体を利用して紫外線照射ランプの取付構造の剛性を確保するようにしたものである。
【００２２】
即ち、本発明は、インクヘッドを搭載するキャリッジに紫外線照射ランプを取り付けるためのインクジェットプリンタにおける紫外線照射ランプの取付構造であって、両端部を開放とした角筒形状体であって、上記角筒形状体を構成する面として、高さ方向に上端部から下端部まで、もしくは、水平方向に一側部から他側部まで切り欠いた切り欠き部を有する第１の面と、上記第１の面に対向して配設される第２の面と、上記第１の面と上記第２の面とをそれぞれ連結するように配設される第３の面と第４の面とを有する取付部材を備え、上記切り欠き部を塞ぐように紫外線照射ランプを上記第１の面の外側に固定するようにした。
【００２３】
また、本発明は、インクヘッドを搭載するキャリッジに紫外線照射ランプを取り付けるためのインクジェットプリンタにおける紫外線照射ランプの取付構造であって、両端部を開放とした角筒形状体であって、上記角筒形状体を構成する面として、高さ方向に上端部から下端部まで、もしくは、水平方向に一側部から他側部まで切り欠いた切り欠き部を有する第１の面と、上記第１の面に対向して配設される第２の面と、上記第１の面と上記第２の面とをそれぞれ連結するように配設される第３の面と第４の面とを有する取付部材を備え、上記切り欠き部を塞ぐように紫外線照射ランプを上記第１の面の内側に固定するようにした。
【００２４】
また、本発明は、上記した発明において、上記第２の面を、上記インクヘッドに隣接させるようにした。
【００２５】
また、本発明は、上記した発明において、上記第３の面および上記第４の面のうち、上記キャリッジの移動方向と直交する方向における後方側に位置する方の面を上記キャリッジに固定するようにした。
【発明の効果】
【００２６】
本発明は、以上説明したように構成されているので、剛性が高く、かつ、軽量なインクジェットプリンタにおける紫外線照射ランプの取付構造を得ることができるという優れた効果を奏する。
【００２７】
また、本発明は、以上説明したように構成されているので、材料の増加に伴うコスト高を抑制することができるという優れた効果を奏する。
【図面の簡単な説明】
【００２８】
【図１】図１は、従来のインクジェットプリンタにおける紫外線照射ランプの取付構造を示した概略構成斜視説明図である。
【図２】図２は、従来のインクジェットプリンタにおける紫外線照射ランプの取付構造を示した概略構成斜視説明図である。
【図３】図３は、本発明によるインクジェットプリンタにおける紫外線照射ランプの取付構造の実施の形態の一例を示した概略構成説明図である。
【図４】図４は、本発明によるインクジェットプリンタにおける紫外線照射ランプの取付構造の実施の形態の一例を示した概略構成斜視説明図である。
【図５】図５（ａ）は、本発明によるインクジェットプリンタにおける紫外線照射ランプの取付構造における取付部材の実施の形態の一例を示した概略構成斜視説明図であり、図５（ｂ）は、図５（ａ）に示すＶＢ矢印方向から見た場合の取付部材を示した概略構成矢視説明図であり、図５（ｃ）は、図５（ａ）に示すＶＣ矢印方向から見た場合の取付部材を示した概略構成矢視説明図である。
【図６】図６は、図３に示すＶＩ矢印方向から見た場合のキャリッジの一部を示した概略構成矢視説明図である。
【図７】図７は、本発明によるインクジェットプリンタにおける紫外線照射ランプの取付構造の他の実施の形態を示した概略構成斜視説明図である。
【発明を実施するための形態】
【００２９】
以下、添付の図面を参照しながら、本発明によるインクジェットプリンタにおける紫外線照射ランプの取付構造の実施の形態の一例について詳細に説明するものとする。
【００３０】
図３および図４を参照しながら説明すると、本発明によるインクジェットプリンタにおける紫外線照射ランプの取付構造を備えたキャリッジ１０は、インクジェットプリンタ内部において主走査方向に沿って配設されるガイドレール１２に対して主走査方向に摺動自在に配置されるコ字形状を有する背面側ベース部１４と、背面側ベース部１４内の主走査方向における両端部付近に高さ方向に沿ってそれぞれ配置される昇降軸１６および昇降軸１８と、背面側ベース部１４の凹部内に昇降軸１６および昇降軸１８に挿通されて昇降自在に配設されるコ字形状を有する前面側ベース部２０と、前面側ベース部２０の凸部であって、副走査方向における前方側の面に配置されてインクをメディア上に吐出するインクヘッド部２２ａを搭載するインクヘッド搭載部２２と、前面側ベース部２０の副走査方向における前方側の面であって、インクヘッド搭載部２２の主走査方向における両端部に位置するように配置される２つの取付部材２４および取付部材２６と、取付部材２４を介して前面側ベース部２０に搭載される紫外線照射ランプ２８と、取付部材２６を介して前面側ベース部２０に搭載される紫外線照射ランプ３０と、背面側ベース部２０の上方側に背面側ベース部１４と連結して配設され、昇降軸１６および昇降軸１８を回転させて前面側ベース部２０を昇降させるよう駆動する駆動部３２と、昇降軸１６の上端部に固定されるプーリー１６ａと、昇降軸１８の上端部に固定されるプーリー１８ａと、プーリー１６ａとプーリー１８ａとの間に無端状に張設されて駆動部３２の動力をプーリー１６ａとプーリー１８ａとに伝達してプーリー１６ａおよびプーリー１８ａを回転させる駆動ベルト３４とを有して構成される。
【００３１】
次に、図３および図４とともに図５（ａ）（ｂ）（ｃ）を参照しながら取付部材２４および取付部材２６について説明する。
【００３２】
なお、本実施の形態においては、２つの取付部材２４および取付部材２６を配置している。ここでは、図４に示す取付部材２６を中心に説明するが、取付部材２４と取付部材２６とは、左右対称の構成を有する点でのみ異なり、その他の点においては同様の構成を有する。
【００３３】
取付部材２６は、板金よりなり、その断面が略Ｃ字形状を有する角筒形状体である。そして、その両端部は開放状態としている。また、角筒形状体を構成する１つの面について、その一部を高さ方向の上端から下端までの領域を切り欠いた形状を有する（図５（ａ）を参照する。）。即ち、角筒形状体の１つの面に、一部切り欠き部を有する。
【００３４】
そして、キャリッジ搭載時にインクヘッド搭載部２２と隣接する面となる平面形状の中央部２６ａと、中央部２６ａに隣接して中央部２６ａの両側に直立して配設される側面部２６ｂおよび側面部２６ｃと、側面部２６ｂに隣接して中央部２６ａと平行に対向する面となるランプ取付面２６ｄと、側面部２６ｃに隣接して中央部２６ａと平行に対向する面となるランプ取付面２６ｅとにより構成される。なお、ランプ取付面２６ｄとランプ取付面２６ｅとの間は開口しており、所定の間隙を有する切り欠き部を設けて構成されている。
【００３５】
なお、本実施の形態においては、ランプ取付面２６ｄおよびランプ取付面２６ｅは、その端縁が鉛直方向と平行に延びているが、鉛直方向に対して角度を有するように形成してもよい。
【００３６】
次に、取付部材２６に穿設される孔について説明すると、側面部２６ｃには、後述する前面側ベース部２０への固定に用いるための長穴が穿設される。
【００３７】
こうした長穴２６ｃ−１は、側面部２６ｃの中心位置に所定の幅を有するよう構成される。
【００３８】
また、取付部材２６のランプ取付面２６ｄには、取付面２６ｄの中央付近に２つの孔２６ｄ−１および孔２６ｄ−２が所定の位置に等間隔に穿設される。
【００３９】
また、取付部材２６のランプ取付面２６ｅには、取付面２６ｅの中央付近に２つの孔２６ｅ−１および孔２６ｅ−２が所定の位置に等間隔に穿設される。
【００４０】
ここで、側面部２６ｂおよび側面部２６ｃは、側面部２６ｃをキャリッジ１０の前面側ベース部２０に搭載する必要があるため、少なくとも長穴を穿設することが可能な幅で、かつ、取付部材２６および紫外線照射ランプ３０の重量を支持することが可能な幅を備えることが必要な条件となる。
【００４１】
また、ランプ取付面２６ｄおよびランプ取付面２６ｅの両面には紫外線照射ランプ３０の側面を固定するため、少なくとも、紫外線照射ランプ３０をネジ止め可能な孔を穿設することが可能な幅で、かつ、紫外線照射ランプ３０の重量に支持することが可能な幅を備えることが必要な条件となる。
【００４２】
なお、本実施の形態においては、取付部材２４および取付部材２６はアルミニウム板金で形成し、厚さを２ｍｍとした。
【００４３】
また、本実施の形態においては、取付部材２４および取付部材２６の側面部２６ｂおよび側面部２６ｃの幅を２５ｍｍとした。
【００４４】
また、本実施の形態においては、取付部材２４および取付部材２６のランプ取付面２６ｄおよびランプ取付面２６ｅの幅を１５ｍｍとし、ランプ取付面２６ｄとランプ取付面２６ｅとの間に備える切り欠き部の距離を５０ｍｍとした。
【００４５】
なお、本実施の形態においては、取付部材２４および取付部材２６をアルミニウム板金により形成するようにしたが、これに限られるものではないことは勿論であり、その他の材料により形成するようにしてよい。
【００４６】
また、本実施の形態においては、取付部材２４および取付部材２６の厚さ、側面部２６ｂおよび側面部２６ｃの幅、ランプ取付面２６ｄおよびランプ取付面２６ｅの幅および切り欠き部の距離を上記の寸法を有するよう構成したが、これに限られるものではないことは勿論であり、紫外線照射ランプの寸法や重量などによって、適宜変更するようにしてよい。
【００４７】
また、本実施の形態においては、切り欠き部は上下方向に延びているが、これに限られるものではないことは勿論であり、切り欠き部を水平方向に一側部から他側部へ切り欠くようにし、水平方向に延びるように形成してもよい。また、この場合、ランプ取付面２６ｄおよびランプ取付面２６ｅの端縁は、水平方向と平行に延びるように形成してもよいし、水平方向に対して角度を有するように形成してもよい。
【００４８】
次に、図６を参照しながら、キャリッジ１０に対して紫外線照射ランプ２８および紫外線照射ランプ３０を取り付ける方法について説明する。
【００４９】
はじめに、インクヘッド搭載部２２両端部の近傍のキャリッジ１０上に、取付部材２４および取付部材２６をそれぞれ配置する。
【００５０】
なお、本実施の形態においては、主走査方向における左方側に取付部材２４を配置し、主走査方向における右方側に取付部材２６を配置する。
【００５１】
その際に、取付部材２６の中央部２６ａがインクヘッド搭載部２２に隣接するように配置する。また、取付部材２４についても、取付部材２６の中央部２６ａに相当する面がインクヘッド搭載部２２の左方側の端部に隣接するように配置する。即ち、取付部材２４と取付部材２６とは左右対称となる向きでキャリッジ１０上に配置するようにする。
【００５２】
より詳細には、取付部材２６の側面部２６ｃを前面側ベース部２０に当接させ、取付部材２６の側面部２６ｃに穿設された長穴２６ｃ−１において、前面側ベース部２０が有するネジ留めのための孔（図示せず。）に対してネジで固定する。なお、本実施の形態においては、長穴２６ｃ−１に等間隔に３つのネジで固定するものとした。
【００５３】
同様に、取付部材２４についても、相当する長穴において前面側ベース部２０が有する孔に対してネジ留めする。
【００５４】
次に、取付部材２６のランプ取付面２６ｄおよびランプ取付面２６ｅに紫外線照射ランプ３０を当接させる。その際、紫外線照射ランプ３０はランプ取付面２６ｄとランプ取付面２６ｅとの両方に支持されるように配置し、紫外線照射ランプ３０の筐体が有する面で取付部材２６が有する切り欠き部を塞ぐようにする。
【００５５】
そして、ランプ取付面２６ｄおよびランプ取付面２６ｅに穿設された孔２６ｄ−１、孔２６ｄ−２、孔２６ｅ−１および孔２６ｅ−２において紫外線照射ランプ３０に対してネジ留めし、取付部材２６に紫外線照射ランプ３０を固定する。
【００５６】
同様に、取付部材２４においても、相当する孔において紫外線照射ランプ２８に対してネジ留めし、紫外線照射ランプ２８の筐体が有する面で取付部材２４が有する切り欠き部を塞ぐように紫外線照射ランプ２８を固定する。
【００５７】
以上の構成において、紫外線照射ランプ２８および紫外線照射ランプ３０をキャリッジ１０に搭載し、メディアに対して紫外線を照射可能なインクジェットプリンタによる印刷が可能となる。
【００５８】
上記において説明したように、取付部材２４および取付部材２６は、それぞれ切り欠き部を備え、切り欠き部を紫外線照射ランプに当接させて紫外線照射ランプの筐体が有する面で切り欠き部を塞ぐようにした。
【００５９】
これにより、取付部材２４および取付部材２６は、それぞれ、紫外線照射ランプ２８および紫外線照射ランプ３０と一体となる。紫外線照射ランプ２８および紫外線照射ランプ３０が有する面と取付部材２４および取付部材２６のそれぞれの切り欠き部が当接して四角形状を構成することにより、取付部材２４および取付部材２６の強度が全体的に増すこととなる。
【００６０】
次に、本発明によるインクジェットプリンタにおける紫外線照射ランプの取付構造の第２の実施の形態について説明する。
【００６１】
上記第１の実施の形態においては、取付部材の側面に紫外線照射ランプを取り付けるようにしたが、この第２の実施の形態においては、取付部材内部に紫外線照射ランプを取り付けるようにしている。
【００６２】
図７には、本発明の第２の実施の形態によるインクジェットプリンタにおける紫外線照射ランプの取付構造を示している。
【００６３】
即ち、第２の実施の形態においては、取付部材２６の内側から切り欠き部に紫外線照射ランプを当接させて配設し、紫外線照射ランプ３０の筐体が有する面で取付部材２６の切り欠き部を塞ぐようにした。
【００６４】
これにより、紫外線照射ランプ３０と取付部材２６とが一体となり、紫外線照射ランプ３０が有する面と取付部材２６の切り欠き部が当接して四角形状を構成することにより、取付部材２６の強度が全体的に増すこととなる。
【００６５】
上記において説明したように、第１の実施の形態および第２の実施の形態として示した本発明によるインクジェットプリンタにおける紫外線照射ランプの取付構造は、紫外線照射ランプの筐体が有する面を利用し、紫外線照射ランプの取付構造の剛性を確保できるため、軽量で、かつ、剛性が高い紫外線照射ランプの取付構造を実現することが可能である。
【００６６】
また、本発明によるインクジェットプリンタにおける紫外線照射ランプの取付構造によれば、簡単な構成でありながら剛性を確保することができるため、材料の増加に伴うコスト高を抑制した紫外線照射ランプ取付構造を実現することが可能である。
【００６７】
なお、上記した実施の形態においては、キャリッジに２つの紫外線照射ランプを搭載する場合の紫外線照射ランプの取付構造について説明したが、これに限られるものではないことは勿論である。インクヘッドの一方の端部のみに１つの紫外線照射ランプを搭載する場合にも本発明による紫外線照射ランプの取付構造を適用できる。
【産業上の利用可能性】
【００６８】
本発明は、メディアに吐出したインクに対して紫外線を照射するための紫外線照射ランプを搭載するインクジェットプリンタに利用することができるものである。
【符号の説明】
【００６９】
１０  キャリッジ、１２  ガイドレール、１４  背面側ベース部、１６、１８  昇降軸、２０  前面側ベース部、２２  インクヘッド搭載部、２４、２６  取付部材、２８、３０  紫外線照射ランプ、３２  駆動部、３４  駆動ベルト
【図１】
0006585386.tif 000002
【図２】
0006585386.tif 000003
【図３】
0006585386.tif 000004
【図４】
0006585386.tif 000005
【図５】
0006585386.tif 000006
【図６】
0006585386.tif 000007
【図７】
0006585386.tif 000008